(57)【要約】【課題】原稿台に置かれた原稿の画像を読み取って画像データを生成する画像読取装置において、原稿台への原稿のセットし忘れ及び誤操作に起因する空スキャンの発生を抑止する。【解決手段】原稿台カバーの開閉を検知するセンサを備え、読取動作の開始が指示されたときに、原稿台カバーの閉状態継続時間及び開状態継続時間が所定の範囲内にあるかどうかをチェックすることによって、原稿がセットされていない可能性が高い場合には、再度読取動作の開始が指示されたときのみ読取動作を実行するようにする。【選択図】図８
2010118735.tif 000002
【特許請求の範囲】
【請求項１】
読み取り対象の原稿を載置する原稿台と、
前記原稿台に対して開閉可能に設けられた原稿台カバーと、
前記原稿台に載置された原稿の画像を読み取る読取手段と、
前記読取手段による読取動作の開始を指示する操作手段と
を有する画像読取装置において、
前記原稿台カバーの開閉状態を検知する検知手段と、
前記検知手段により前記原稿台カバーが閉状態になったことが検出されてから経過した経過時間を計測する計測手段と、
報知手段と
を備え、
前記読取手段は、前記操作手段により前記読取手段に対する読取動作の開始が指示されたとき、
前記経過時間が所定時間以下である場合に読取動作を行い、
前記報知手段は、前記操作手段により前記読取手段に対する読取動作の開始が指示されたとき、
前記経過時間が前記所定時間を超えている場合に、読取動作を行うか否かの確認を促すための報知を行う
ことを特徴とする画像読取装置。
【請求項２】
前記読取手段は、前記報知手段により前記報知が行われたのち、前記操作手段により前記読取手段に対する読取動作の開始が再度指示されたときに読取動作を行う
ことを特徴とする請求項１に記載の画像読取装置。
【請求項３】
読み取り対象の原稿を載置する原稿台と、
前記原稿台に対して開閉可能に設けられた原稿台カバーと、
前記原稿台に載置された原稿の画像を読み取る読取手段と、
前記読取手段による読取動作の開始を指示する操作手段と
を有する画像読取装置において、
前記原稿台カバーの開閉状態を検知する検知手段と、
前記検知手段により前記原稿台カバーが開状態となったことが検出されてから開状態が継続する継続時間を計測する第1の計測手段と、
前記検知手段により前記原稿台カバーが閉状態になったことが検出されてから経過した経過時間を計測する第２の計測手段と、
報知手段と
を備え、
前記読取手段は、前記操作手段により前記読取手段に対する読取動作の開始が指示されたとき、
前記経過時間が第一の所定時間以下であり、かつ、前記継続時間が第二の所定時間以上である場合に読取動作を行い、
前記報知手段は、前記操作手段により前記読取手段に対する読取動作の開始が指示され、かつ、前記経過時間が前記第一の所定時間を超えていた場合、または、前記継続時間が前記第二の所定時間未満であった場合に、読取動作を行うか否かの確認を促すための報知を行う
ことを特徴とする画像読取装置。
【請求項４】
前記読取手段は、前記報知手段により前記報知が行われたのち、前記操作手段により前記読取手段に対する読取動作の開始が再度指示されたときに読取動作を行う
ことを特徴とする請求項３に記載の画像読取装置。
【発明の詳細な説明】
【技術分野】
【０００１】
本発明は、複写機、イメージスキャナあるいはファクシミリなどの画像読取装置に関する。
【背景技術】
【０００２】
従来の画像読取装置は、例えば特許文献１に開示されているように、読取動作の開始を指示する操作キーを有し、操作キーの押下により読取動作を開始するものが一般的であった。
【特許文献１】特開平１１−３５５４８１号公報
【発明の開示】
【発明が解決しようとする課題】
【０００３】
しかしながら、従来の画像読取装置では、原稿台に原稿が置かれていない状態で誤って読取動作の開始を指示する操作キーが押下された場合に、画像読取装置は何もない原稿台をスキャン（空スキャン）することになり、白紙のコピー印刷や白紙のＦＡＸ送信を実行してしまうという問題があった。
【０００４】
本発明は、上記の問題を解決するためになされたものであり、原稿台に原稿が置かれていない状態で誤って読取動作の開始が指示されたときの、空スキャンの発生を抑止することを目的とする。
【課題を解決するための手段】
【０００５】
前記の目的を達成するために、本発明の画像読取装置は、開閉可能な原稿台カバーを有する画像読取装置において、原稿台カバーの開閉状態を検知する検知手段を備え、その検知手段の出力を監視することによって原稿台カバーが閉状態になったことが検出されてからの経過時間を計測し、操作手段によって読取動作の開始を指示されたときの前記経過時間が第一の所定時間を超える場合には、読取動作を実行するか否かの確認を促すための報知を行うとともに、ユーザが再度読取動作の開始を指示したときのみ読取動作を実行するようにした。
【０００６】
さらに、前記検知手段の出力を監視することによって、原稿台カバーが開状態になったことが検出されてからの開状態の継続時間をも計測し、操作手段によって読取動作の開始が指示される直前の前記継続時間が第二の所定時間に満たない場合にも、同様に読取動作を実行するか否かの確認を促すための報知を行うとともに、ユーザが再度読取動作の開始を指示したときのみ読取動作を実行するようにした。
【発明の効果】
【０００７】
本発明によれば、原稿台に原稿が置かれていない状態で読取動作の開始が指示されたときには、ユーザが再度読取動作の開始を指示したときのみ読取動作を実行するので、空スキャンの発生を抑止することができる。尚、通常の読取動作についてはまったく操作性を損うことがない。
【発明を実施するための最良の形態】
【０００８】
以下、本発明に係る画像読取装置の２つの実施形態について図面を用いて詳細に説明する。
【０００９】
（第一実施形態）
図１は、本発明に係る画像読取装置の第一実施形態であるスキャナ装置１０の外観を示す斜視図である。スキャナ装置１０は、原稿を読み取って原稿の画像データを生成するものであり、モノクロタイプとカラータイプのいずれであってもよい。
【００１０】
図１に示すように、スキャナ装置１０は、略直方体形状の本体１の上部に原稿台カバー３が開閉可能に取り付けられている。本体１の上面は読み取り対象となる原稿が置かれる原稿台２となっており、その中央部には透明ガラス部９が設けられている。読み取り対象の原稿は、透明ガラス部９の上に原稿面を下にして置かれる。
【００１１】
透明ガラス部９の下に組み込まれている読取手段である読取部１３（図２参照）は、透明ガラス部９の下方から原稿台２の上に置かれた原稿の画像を光学的に走査してスキャンデータを生成する。
【００１２】
原稿台カバー３は、原稿を読み取るときに、外部からの光を遮蔽すると同時に、原稿が動かないようにするためのものである。また原稿台２の手前には、操作パネル４が設けられている。操作パネル４の中には、ユーザに対して各種の報知を行う報知手段としての表示部５と、読取動作の開始を指示する操作手段であるスタートキー６と、読取動作の中止を指示するストップキー７とが配置されている。
【００１３】
また、本体１と原稿台カバー３との接合部の近傍には、検知手段であるカバー開閉センサ８が設けられている。カバー開閉センサ８は、原稿台カバー３が、原稿台２の上に密着している状態（閉状態）と原稿台２から離れた状態（開状態）のいずれにあるかを検出するためのセンサであり、機械的なものであっても光学的なものであってもよい。
以下の説明では、カバー開閉センサ８の出力は、原稿台カバー３が閉状態にあるときに「オン」となり、原稿台カバー３が開状態にあるときに「オフ」になるものと仮定する。
【００１４】
図２は、スキャナ装置１０の機能ブロック図である。
図２に示すように、スキャナ装置１０は、制御部１１と、記憶部１２と、読取部１３と、操作パネル４と、カバー開閉センサ８と、計測手段であるカバー閉時間タイマ１４と、を備えて構成される。
【００１５】
制御部１１及び記憶部１２は、ＣＰＵ、メモリ等から構成されるコンピュータであり、ＲＯＭ（Ｒｅａｄ  Ｏｎｌｙ  Ｍｅｍｏｒｙ）等に格納されたプログラムを実行することにより、スキャナ装置としての機能を果たす。
【００１６】
読取部１３は、制御部１１からの指令により図１に示した透明ガラス部９の下方から光学的に原稿を走査してスキャンデータを生成する。生成されたスキャンデータは制御部１１に渡され、制御部１１は、読取部１３から渡される一連のスキャンデータを所定の画像データ形式に変換して記憶部１２に格納する。記憶部１２に格納された画像データは、その後メモリカード等の他の記憶媒体にコピーされたり、通信回線を介して他の装置に送られて利用されるが、これはスキャナ装置の一般的な機能であるので説明を省略する。
【００１７】
カバー閉時間タイマ１４は、原稿台カバー３が最後に閉状態になったときからの経過時間（以下ｔｃと表す）を計測する計測手段であり、本例ではハードウェアによって構成しているが、ソフトウェアで実現してもよい。このカバー閉時間タイマ１４は、制御部１１からの指令によりリセット、リスタート、ストップが行われる。
【００１８】
図３は、制御部１１によって実行されるカバー閉時間タイマ制御処理の内容を示すフローチャートである。
【００１９】
制御部１１は、装置の起動時にまずステップＳ１１において、カバー閉時間タイマ１４をリセットする。次に制御部１１は、ステップＳ１２において、カバー開閉センサ８の出力を読み込むことによって原稿台カバー３の状態を判定する。そして、状態が’開’（ カバー開閉センサ８の出力が’オフ’）であれば状態が’閉’（カバー開閉センサ８の出力が’オン’）になるまでステップＳ１２を繰り返し、状態が’閉’であればステップＳ１３に分岐する。
【００２０】
ステップＳ１３では、カバー閉時間タイマ１４をリスタート、すなわちタイマ値を０リセット後タイマをスタートさせる。次に、ステップＳ１４において、再度原稿台カバー開閉センサ８の出力を読み込んで原稿台カバー３の状態を判定する。そして、状態が’閉’であれば状態が’開’になるまでステップＳ１４を繰り返し、状態が’開’であればステップＳ１５に分岐する。
【００２１】
ステップＳ１５では、カバー閉時間タイマ１４をストップし、次にステップＳ１６において再度原稿台カバー３の状態が’閉’になるまでステップＳ１６を繰り返してからステップＳ１３に戻り、以後上記の処理を繰り返す。
【００２２】
以上の処理により、制御部１１は、カバー閉時間タイマ１４の値を読み出すことによって、原稿台カバー３が最後に閉状態になったときからの経過時間ｔｃを把握する。
【００２３】
続いて、制御部１１によって実行されるスキャン実行制御処理について説明する。
図４は、制御部１１によって実行されるスキャン実行制御処理の内容を示すフローチャートである。
以下、ユーザが正しくスキャン操作を行った場合と、誤ってスキャン操作を行った場合の処理内容について、順に説明する。
【００２４】
（正しいスキャン操作）
正しいスキャン操作の手順は、例えば以下のようなものである。
（ａ）原稿台カバー３を開ける。
（ｂ）原稿台２に（前の原稿があればそれを取り除いた後に）新しい原稿を置く。
（ｃ）原稿台カバー３を閉じる。
（ｄ）所定時間（例えば５秒）以内にスタートキー６を押下する。
【００２５】
上記（ａ）〜（ｃ）の操作により、前記図３にて説明したカバー閉時間タイマ１４のリスタートが行われ（ステップＳ１３）、（ｃ）の操作が完了してからの経過時間ｔｃの計測が開始される。
【００２６】
図４に示すように、制御部１１は、ステップＳ３１にてスタートキー６の押下を監視しており、上記（ｄ）の操作が行われると、「スタートキー押下あり」と判定し（ステップＳ３１で’Ｙｅｓ’）、ステップＳ３２に分岐して、カバー閉時間タイマ１４の値を読み取って変数ｔｃにその値を格納する。
【００２７】
次にステップＳ３３において、変数ｔｃの値と所定の基準時間Ｔｃｍａｘ（ここでは５秒とする）とを比較する。前記第一の所定時間であるこの基準時間Ｔｃｍａｘは、原稿台カバー３が閉状態になってからスタートキーが押下されるまでの時間が正常か否かを判定するための時間として、予め設定された時間であり、ｔｃ≦Ｔｃｍａｘであれば正常と判断する。Ｔｃｍａｘの値は、ユーザが原稿台カバー３を閉じてからスタートキー６を押下するまでの時間の分布に基づいて、例えば正常操作の９５％が正常と判断されるように設定すればよい。上記の例ではｔｃ≦Ｔｃｍａｘであるので、ステップＳ３４に分岐して原稿の読取動作を実行する。読取動作の実行が終了したらステップＳ３１に戻り、以後同様の処理を繰り返す。
【００２８】
（誤ったスキャン操作）
誤ったスキャン操作の例として、直前のユーザがスキャンを実行して原稿台カバー３が閉状態になった後に、次のユーザが本来セットすべき原稿をセットせずにスタートキー６を押下してしまったものと仮定する。このとき操作手順は以下のようなものとなる。
（ｅ）直前のユーザが原稿台カバー３を開ける。
（ｆ）直前のユーザが原稿台２から原稿を取り除く。
（ｇ）直前のユーザが原稿台カバー３を閉じる。
（ｈ）次のユーザが所定時間（例えば５秒）を過ぎてから（新しい原稿を原稿台２に置かずに）スタートキー６を押下する。
【００２９】
上記（ｅ）〜（ｇ）の操作により、前記図３にて説明したカバー閉時間タイマ１４のリスタートが行われ（ステップＳ１３）、（ｇ）の操作が完了して原稿台カバー３が閉状態になったときからの経過時間ｔｃの計測が開始される。
【００３０】
図４に示すように、制御部１１は、ステップＳ３１にてスタートキー６の押下を監視しており、上記（ｈ）の操作が行われると、「スタートキー押下あり」と判定し（ステップＳ３１で’Ｙｅｓ’）、ステップＳ３２に分岐して、カバー閉時間タイマ１４の値を読み取って変数ｔｃにその値を格納する。
【００３１】
次にステップＳ３３において、変数ｔｃの値と所定の基準時間Ｔｃｍａｘ（ここでは５秒とする）とを比較する。上記の場合には、ｔｃ＞Ｔｃｍａｘであるので、ステップＳ３５に分岐して、ユーザに対する確認を促すために、例えば図５に示したような確認メッセージを表示部５に表示する。
【００３２】
続いてステップＳ３６において、ユーザがスタートキー６もしくはストップキー７のいずれかを押下するのを待ち、「キー押下あり」と判定すると（ステップＳ３６で’Ｙｅｓ’）ステップＳ３７に分岐して、押下されたキーの種類を判定する。そして、押下されたキーが「スタートキー」であれば、ステップＳ３４に分岐して原稿の読取動作を実行する。また、押下されたキーが「ストップキー」であれば、読取動作は行わずにステップＳ３１に戻って再度スタートキー６が押下されるのを待つ。
【００３３】
上記のように、ユーザが誤って原稿をセットし忘れてスタートキー６を押下した場合には、読取動作を実行するかどうかの確認が促され、再度スタートキー６を押下して読取動作の開始を指示しないと読取動作が実行されないので、空スキャンの実行を抑止することができる。また、ユーザが何らかの理由によって間違ってスタートキー６を押下してしまった場合の多くは、上記と同様の処理となるものと考えられる（所定時間内に間違ってスタートキー６が押下される可能性は低い）ので、やはり空スキャンの実行を抑止できる。  本実施形態では、表示部５にメッセージを表示するものとして説明したが、報知手段としては、スピーカーを用いて音声で知らせるもの、あるいは、ランプなどを点灯させて知らせるものであってもよい。
【００３４】
以上説明したように、第一実施形態のスキャナ装置１０では、ユーザの原稿のセットし忘れや過誤のキー操作に起因する空スキャンの実行を抑止することができる。尚、通常の正しいスキャン動作についてはまったく操作性を損うことがない。
【００３５】
（第二実施形態）
次に、本発明に係る画像読取装置の第二実施形態であるスキャナ装置２０について、前記第一実施形態のスキャナ装置１０との違いを中心に説明する。スキャナ装置２０の外観や基本的な構造は、図１に示したスキャナ装置１０と同じである。
図６は、スキャナ装置２０の機能ブロック図である。図６と図２とを比較して分かるように、スキャナ装置２０は、第一実施形態のスキャナ装置１０に、計測手段であるカバー開時間タイマ１５を付加した構成となっている。
【００３６】
カバー開時間タイマ１５は、原稿台カバー３の開状態が継続している時間（以下ｔｏと表す）を計測する計測手段であり、本例ではハードウェアによって構成しているが、ソフトウェアで実現してもよい。このカバー開時間タイマ１５は、制御部１１からの指令によりリセット、リスタート、ストップが行われる。
【００３７】
図７は、制御部１１によって実行されるカバー閉時間タイマ及びカバー開時間タイマ制御処理の内容を示すフローチャートである（第一実施形態の図３に相当）。
【００３８】
制御部１１は、装置の起動時にまずステップＳ２１において、カバー閉時間タイマ１４をリセットし、次いでステップＳ２２において、カバー開時間タイマ１５をリセットする。次に制御部１１は、ステップＳ２３において、カバー開閉センサ８の出力を読み込むことによって原稿台カバー３の状態を判定し、状態が’閉’ （カバー開閉センサ８の出力が’オン’）であればステップＳ２４に分岐し、状態が’開’（ カバー開閉センサ８の出力が’オフ’）であればステップＳ２７に分岐する。
【００３９】
ステップＳ２４では、カバー閉時間タイマ１４をリスタート、すなわちタイマ値を０リセット後タイマをスタートさせる。そして、ステップＳ２５において、再度原稿台カバー開閉センサ８の出力を読み込んて原稿台カバー３の状態を判定する。状態が’閉’であれば状態が’開’になるまでステップＳ２５を繰り返し、状態が’開’であればステップＳ２６に分岐して、カバー閉時間タイマ１４をストップする。
【００４０】
次に、ステップＳ２３から分岐した場合も含め、ステップＳ２７において、カバー開時間タイマ１５をリスタートした後、ステップＳ２８において再度原稿台カバー３の状態が’閉’になるまでステップＳ２８を繰り返してからステップＳ２９に分岐する。そしてステップＳ２９にて、カバー開時間タイマ１５をストップした後、ステップＳ２４に戻り、以後上記の処理を繰り返す。
【００４１】
以上の処理により、制御部１１は、カバー閉時間タイマ１４の値を読み出すことによって、原稿台カバー３が最後に閉状態になったときからの経過時間ｔｃを把握するとともに、カバー開時間タイマ１５の値を読み出すことによって、原稿台カバー３が最後に開状態になったときの開状態の継続時間ｔｏを把握する。
【００４２】
続いて、制御部１１によって実行されるスキャン実行制御処理について説明する。
図８は、制御部１１によって実行されるスキャン実行制御処理の内容を示すフローチャートである（第一実施形態の図４に相当）。
以下、ユーザが正しくスキャン操作を行った場合と、誤ってスキャン操作を行った場合の処理内容について、順に説明する。
【００４３】
（正しいスキャン操作）
正しいスキャン操作の手順は例えば以下のようなものである。
（ｉ）原稿台カバー３を開ける。
（ｊ）原稿台２に（前の原稿があればそれを取り除いた後に）新しい原稿を置く。
（ｋ）（ｉ）の操作開始から所定時間（例えば２秒）経過後に原稿台カバー３を閉じる。
（ｌ）所定時間（例えば５秒）以内にスタートキー６を押下する。
【００４４】
上記（ｉ）〜（ｋ）の操作により、制御部１１によって、前記図７にて説明したカバー開時間タイマ１５のリスタートが行われ（ステップＳ２７）、（ｉ）の操作が開始されてから（ｋ）の操作が完了するまでの原稿台カバー３が開状態であった継続時間ｔｏが計測される（ステップＳ２９）とともに、カバー閉時間タイマ１４のリスタートが行われ（ステップＳ２４）、（ｋ）の操作が完了して原稿台カバー３が閉状態になったときからの経過時間ｔｃの計測が開始される。
【００４５】
図８に示すように、制御部１１は、ステップＳ４１にてスタートキー６の押下を監視しており、上記（ｌ）の操作が行われると、「スタートキー押下あり」と判定し（ステップＳ４１で’Ｙｅｓ’）、ステップＳ４２に分岐して、カバー開時間タイマ１５の値を読み取って変数ｔｏにその値を格納するとともに、ステップＳ４３にてカバー閉時間タイマ１４の値を読み取って変数ｔｃにその値を格納する。
【００４６】
次にステップＳ４４において、変数ｔｏの値と所定の基準時間Ｔｏｍｉｎ（ここでは２秒とする）とを比較する。前記第二の所定時間であるこの基準時間Ｔｏｍｉｎは、原稿台カバー３が開状態になってから閉状態になるまでの時間が正常か否かを判定するための時間として予め設定された時間であり、ｔｏ≧Ｔｏｍｉｎであれば正常と判断する。
【００４７】
Ｔｏｍｉｎの値は、ユーザが新しい原稿を原稿台２にセットするときの原稿カバー３を開けてから閉じるまでの時間の分布に基づいて、例えば正常操作の９５％が正常と判断されるように設定すればよい。上記の例では、ｔｏ≧Ｔｏｍｉｎであるので、ステップＳ４５に分岐して変数ｔｃの値と所定の基準時間Ｔｃｍａｘとの比較を行い、ｔｃ≦Ｔｃｍａｘであるので、ステップＳ４６に分岐して原稿の読取動作を実行する。読取動作の実行が終了したらステップＳ４１に戻り、以後同様の処理を繰り返す。
【００４８】
（誤ったスキャン操作）
誤ったスキャン操作の例として、ユーザが原稿台カバー３を開けて前の原稿を取り除いた後に本来セットすべき原稿をセットしないでスタートキー６を押下してしまったものと仮定する。このとき操作手順は以下のようなものとなる。
（ｍ）原稿台カバー３を開ける。
（ｎ）原稿台２から前の原稿を取り除く。
（ｏ）（ｍ）の操作を開始してから所定時間（例えば２秒）が経過する前に原稿台カバー３を閉じる。
（ｐ）所定時間（例えば５秒）以内にスタートキー６を押下する。
【００４９】
上記（ｍ）〜（ｏ）の操作により、前記と同様に（ｍ）の操作が開始されてから（ｏ）の操作が完了するまでの原稿台カバー３が開状態であった継続時間ｔｏと、（ｏ）の操作が完了して原稿台カバー３が閉状態になったときからの経過時間ｔｃの計測が開始され、図８のフローチャートにおけるステップＳ４１〜Ｓ４３までの処理が前記と同様に実行される。
【００５０】
ステップＳ４４においては、ｔｏ＜Ｔｏｍｉｎであるので、ステップＳ４７に分岐して、前記図４のステップＳ３５〜Ｓ３７について説明したのと同様に、ユーザに対する確認操作を促す。また、図８のステップＳ４５では、前記図４のステップＳ３３と同様に、スタートキー６が押下された時点での経過時間ｔｃが所定時間Ｔｃｍａｘを超えているかどうかを判定し、所定時間を越えていればステップＳ４７以下により、ユーザに対する確認操作を促す。
【００５１】
上記のように、ユーザが原稿台カバー３を開けて原稿をセットし忘れてスタートキー６を押下してしまった場合にも、読取動作を実行するかどうかの確認が促され、再度スタートキー６を押下して読取動作の開始を指示しないと読取動作が実行されないので、前記第一実施形態のスキャナ装置１０に比べ、さらに空スキャンの実行を抑止することができる。
【００５２】
（変形例）
前記第一及び第二実施形態では、いずれも原稿台の上に直接原稿をセットするいわゆるフラットベッド型のスキャナ装置の例を説明したが、本発明は、ＡＤＦ（Ａｕｔｏ  Ｄｏｃｕｍｅｎｔ  Ｆｅｅｄｅｒ）に原稿がセットされていない場合にはフラットベッド側をスキャンする機能を有するＡＤＦ付きのスキャナ装置に対しても同様に適用可能である。
【図面の簡単な説明】
【００５３】
【図１】第一実施形態に係るスキャナ装置の外観を示す斜視図である。
【図２】第一実施形態に係るスキャナ装置の機能ブロック図である。
【図３】カバー閉時間タイマ制御処理の内容を示すフローチャートである。
【図４】第一実施形態に係るスキャン実行制御処理の内容を示すフローチャートである。
【図５】確認メッセージの表示例である。
【図６】第二実施形態に係るスキャナ装置の機能ブロック図である。
【図７】カバー閉時間タイマ及びカバー開時間タイマ制御処理の内容を示すフローチャートである
【図８】第二実施形態に係るスキャン実行制御処理の内容を示すフローチャートである。
【符号の説明】
【００５４】
１      本体
２      原稿台
３      原稿台カバー
４      操作パネル
５      表示部（表示手段）
６      スタートキー（操作手段）
７      ストップキー
８      カバー開閉センサ（検知手段）
９      透明ガラス部
１０，２０  スキャナ装置
１１    制御部
１２    記憶部
１３    読取部（読取手段）
１４    カバー閉時間タイマ（計測手段）
１５    カバー開時間タイマ（計測手段）
【図１】
2010118735.tif 000003
【図２】
2010118735.tif 000004
【図３】
2010118735.tif 000005
【図４】
2010118735.tif 000006
【図５】
2010118735.tif 000007
【図６】
2010118735.tif 000008
【図７】
2010118735.tif 000009
【図８】
2010118735.tif 000010